(57)【要約】【課題】片手で容易に開口形状を形成し、カップに係止することのできるドリップバッグを提供する。【解決手段】通水性濾過性シートから形成され、内部に抽出材料が充填された袋本体１０と、薄板状材料から形成され、袋本体に貼着したホルダー２０からなるドリップバッグ１であって、ホルダー２０は、中央折線２２で正面２０ａ及び背面２０ｂに２つ折りにされて中央折線２２が袋本体１０の側辺１１ｄと重なっている。ホルダー２０の正面２０ａ及び背面２０ｂの中央折線２２側領域には、ドリップバッグの開口縁から底部方向にく字形に屈曲して伸びたく字形折線２４が形成され、ホルダー２０の正面２０ａ及び背面２０ｂの下端部左右両側には、係止用凹部３１ａ、３１ｂを有する係止片３２ａ、３２ｂが引き起こし可能に形成されている。【選択図】図２
2010004897.tif 000002
【特許請求の範囲】
【請求項１】
通水性濾過性シートから形成され、内部に抽出材料が充填された袋本体と、
薄板状材料から形成され、袋本体に貼着したホルダーからなるドリップバッグであって、
ホルダーは、中央折線で正面及び背面に２つ折りにされて該中央折線が袋本体の側辺と重なり、
ホルダーの正面及び背面の中央折線側領域に、ドリップバッグの開口縁から底部方向にく字形に屈曲して伸びたく字形折線を有し、
ホルダーの正面及び背面の下端部に、引き起こし可能に形成された係止片を有するドリップバッグ。
【請求項２】
ホルダーの正面及び背面に、く字形折線の屈曲部から中央折線方向に伸びた第一の折線を有する請求項１記載のドリップバッグ。
【請求項３】
ホルダーの中央折線と重なる袋本体の側辺が、通水濾過性シートの輪となっている請求項１又は２記載のドリップバッグ。
【請求項４】
抽出材料が、コーヒー粉又は茶葉である請求項１〜３のいずれかに記載のドリップバッグ。
【発明の詳細な説明】
【技術分野】
【０００１】
本発明は、カップ等の容器の上部に掛止することにより、容易にドリップ式でコーヒー等の抽出液を得られるようにするドリップバッグに関する。
【背景技術】
【０００２】
一杯分のコーヒーを本格的なペーパードリップ方式で手軽に入れられるようにするドリップバッグとして、通水性濾過性シートからなる袋本体にコーヒー粉を充填し、その袋本体の側面にホルダーを貼着したものがある。このドリップバッグには、種々の形態のものがあるが、工業生産に適したものとして、板紙状部材の左右両端部にカップへの係止用凹部を形成し、それを中央折線で左右２つ折りにしたものをホルダーとし、中央折線と袋本体の側辺とが重なるように袋本体とホルダーとを貼着し、使用時にホルダーがＶ字型に開くようにしたものがある。また、このようにＶ字形に開くホルダーの開きを確実にし、ドリップの注湯時にＶ字形が閉じないようにするため、袋本体の開口部側のホルダーの折線近傍に折込部を設けたものが提案されている（特許文献１）。
【０００３】
また、同様に通水濾過性シートとホルダーからなるドリップバッグであって、左右２つ折りにしたホルダーの中央折線に交差する横方向の折り曲げ線を形成すると共に、その横方向の折り曲げ線の左右両端部に縦方向の切り込みを形成し、横方向の折り曲げ線でその折り曲げ線から上の部分を折り倒すことにより、注湯時に開口形状が広く維持されるようにしたものが提案されている（特許文献２）
【特許文献１】特開２００４−２４２８４７号公報
【特許文献２】特許２００２−２３８７６７号公報
【発明の開示】
【発明が解決しようとする課題】
【０００４】
しかしながら、上述のドリップバッグは、それをカップに係止させる際に、両手を用いてホルダーをＶ字形に開いたり、両手を用いて横方向の折り曲げ線を折り曲げることによりホルダーの開口形状を形成しなくてはならず、いずれも片手で簡便にカップに係止できるものではなかった。
【０００５】
これに対し、本発明は、片手で容易に開口形状を形成し、カップに係止することのできるドリップバッグの提供を目的とする。
【課題を解決するための手段】
【０００６】
本発明者は、中央折線の近傍に特定の折線を形成することにより、片手で容易にドリップバッグを開口することができ、かつその開口形状を維持したままカップに係止できることを見いだした。
【０００７】
即ち、本発明は、通水性濾過性シートから形成され、内部に抽出材料が充填された袋本体と、
薄板状材料から形成され、袋本体に貼着したホルダーからなるドリップバッグであって、
ホルダーは、中央折線で正面及び背面に２つ折りにされて該中央折線が袋本体の側辺と重なり、
ホルダーの正面及び背面の中央折線側領域に、ドリップバッグの開口縁から底部方向にく字形に屈曲して伸びたく字形折線を有し、
ホルダーの正面及び背面の下端部に、引き起こし可能に形成された係止片を有するドリップバッグを提供する。
【発明の効果】
【０００８】
本発明のドリップバッグによれば、ホルダーの中央折線側領域に特定の折線が形成されているので、袋本体をその左右両側辺で支持するように片手で把持し、左右両側辺から押し潰すように力をかけることにより、袋本体を容易に開口することができ、その開口形状のまま、カップに係止させることができる。
【０００９】
したがって、本発明のドリップバッグによれば、極めて簡便にドリップ操作を行うことが可能となる。
【発明を実施するための最良の形態】
【００１０】
以下、図を参照しつつ、本発明を詳細に説明する。なお、各図中、同一符号は同一又は同等の構成要素を表している。
【００１１】
図１は、本発明の一実施例のドリップバッグ１の平面図、図２は、それを開封し、カップ１００に係止した状態の斜視図である。また、図３及び図４は、ドリップバッグ１を開封後、カップ１００にかけるまでの操作の説明図であり、図５は、ドリップバッグ１の製造に使用するホルダー付きシート原反４０の平面図であり、図６は、このシート原反４０を用いたドリップバッグ１の製造方法の説明図である。
【００１２】
このドリップバッグ１は、矩形の袋本体１０と袋本体１０に貼着したホルダー２０からなっている。
【００１３】
袋本体１０は、通水性濾過性シートから形成され、その内部には抽出材料が充填されている。
【００１４】
袋本体１０を形成する通水性濾過性シートとしては、所定量のコーヒー粉を充填し、注湯した場合にコーヒーの浸出が可能であるものを種々使用することができる。一般に、浸出用シートとしては、例えば、ポリエステル、ナイロン、ポリエチレン、ポリプロピレン、ビニロン等の合成繊維、レーヨン等の半合成繊維、コウゾ、ミツマタ等の天然繊維の単独又は複合繊維からなる織布あるいは不織布、マニラ麻、木材パルプ、ポリプロピレン繊維等からなる混抄紙等、ティーバッグ原紙等の紙類が知られており、本発明においてもこれらを使用することができるが、ドリップバッグの使用後の廃棄性の点から、通水性濾過性シート材料には生分解性繊維を含有させることが好ましい。生分解性繊維としては、ポリ乳酸、ポリブチレンサクシネート、ポリエチレンサクシネート等をあげることができる。また、ドリップ時にコーヒー粉に適度な蒸らし効果も付与できるようにするため、これらの繊維材料から通水性濾過性シートを製造するに際しては、繊維層の空隙率を調整することによりコーヒー粉に直接接することとなる層を「疎」とし、直接には接しない層を「密」とする疎密の複層構造とし、かつコーヒー粉に直接接することとなる層では疎水性繊維の含有率を高め、コーヒー粉に直接接しない層では疎水性繊維の含有率を下げることが好ましい（特許第3674486号）。
【００１５】
袋本体１０は、上辺１１ａ、下辺１１ｂ及び一側辺１１ｃでシールされており、残りの一側辺１１ｄは折り山で輪になっている。袋本体１０の上端部は、ホルダー２０の上辺に沿って形成した開封用のミシン目１２により、ドリップバッグ１の使用時に切除され、開封用のミシン目１２のラインがドリップバッグの開口縁となる。このミシン目１２で切除される部分を除いた、袋本体１０の正味の平面寸法は、開口径６０〜１０５ｍｍ程度の通常のカップに対して、幅Ｗ１を７０〜１１０ｍｍ、高さＨ１を５０〜７０ｍｍとすることが好ましい。
【００１６】
一方、ホルダー２０は、板紙、プラスチックシート等の薄板状材料の打ち抜きにより形成されている。この薄板状材料も、ドリップバッグ１の使用後の廃棄性の点から、ポリ乳酸、ポリブチレンサクシネート、ポリエチレンサクシネート等の生分解性材料から形成したものが好ましい。
【００１７】
ホルダー２０は、中央折線２２により、正面２０ａと背面２０ｂの左右２つ折りにされ、ドリップバッグ１の正面と背面を形成している。なお、本発明において、折線は、ハーフカット、ミシン目等により形成される。
【００１８】
ホルダー２０の正面２０ａと背面２０ｂの幅は、それぞれ袋本体１０の幅Ｗ１よりも若干狭い程度で、袋本体１０の幅Ｗ１と略等しく形成されている。また、ホルダー２０は、その中央折線２２が、袋本体１０の輪になっている側の側辺１１ｄと重なるように、袋本体１０に貼着されている。
【００１９】
ホルダー２０の正面２０ａ及び背面２０ｂの左右中央よりも中央折線２２側領域では、ドリップバッグ１の開口縁となる開封用ミシン目１２からドリップバッグ１の底部方向に、く字形に屈曲して伸びたく字形折線２４が形成され、く字形折線２４の屈曲部２４ａから中央折線２２方向に第一の折線２３が形成されている。これら正面２０ａ及び背面２０ｂの第一の折線２３は、好ましくは、ホルダー２０を平坦に広げた状態で、中央折線２２を中心にして左右対称に形成される。
【００２０】
第一の折線２３は、本発明において必要に応じて設けられるもので、図１のように第一の折線２３が中央折線２２の方向となす角度θ１は８０°〜１００°とすることが好ましく、本実施例では９０°より小さくしている。
【００２１】
く字形折線２４は、その屈曲部２４ａからドリップバッグ１の開口縁方向で中央折線２２に近づく方向に斜めに伸びた第二の折線２５と、屈曲部２４ａからドリップバッグ１の底部方向に斜めに伸びた第三の折線２６からなる。ここで、第二の折線２５が中央折線２２となす角度θ２は、０〜３０°とすることが好ましい（図１）。また、第二の折線２５と第三の折線２６がなす角度θ３は１８０°未満とし、好ましくは１２０〜１６０°とする。このようにホルダー２０の中央折線２２側領域に、第二の折線２５と第三の折線２６からなる屈曲したく字形折線２４を形成することにより、中央折線２２を袋本体１０の中心側に押し込むことにより形成される図２の開口形状を安定させ、注湯時に開口形状を閉じないようにすることが可能となる。
【００２２】
一方、ホルダー２０の正面２０ａ及び背面２０ｂの、中央折線２２と反対側領域には、中央折線２２の形成方向に第四の折線２７が形成されている。
【００２３】
また、ホルダー２０の正面２０ａ及び背面２０ｂの下端部左右両側には、係止用凹部３１ａ、３１ｂが形成され、係止用凹部３１ａ、３１ｂが係止片３２ａ、３２ｂとして引き起こし可能となるように切れ目３３ａ、３３ｂが形成されている。
【００２４】
ホルダー２０を袋本体１０に貼着する部位は、ドリップバッグ１の全体としての通水性を高める点から、袋本体１０を安定に支持できる限り、部分的に貼着することが好ましく、また、ドリップバッグ１をカップに係止させる際に、ホルダー２０の係止片３２ａ、３２ｂが袋本体１０の表面から突出し、カップへの係止が容易となるように、係止片３２ａ、３３ｂは袋本体１０に貼着しないことが好ましい。
【００２５】
また、貼着部位は、ドリップバッグ１を図２に示すようにカップ１００に係止させた場合に、袋本体１０がホルダー２０と共に開き、カップ１００内にたまる抽出液につかりにくくするように設けることが好ましい。
【００２６】
したがって、例えば、図１で細かいドットで塗りつぶしたように、袋本体１０の開口部の周囲と、係止片３２ａ、３２ｂのすぐ上の帯状領域を、ホルダー２０と袋本体１０との貼着部位１３とし、他は非貼着領域とすることが好ましい。
【００２７】
このドリップバッグ１の使用方法としては、まず、ホルダー２０の開封用ミシン目１２からドリップバッグ１の上縁側を除去し、袋本体１０を開口する。
【００２８】
次に、図３に示すように、袋本体１０をその左右両側辺で支持するように片手で把持し、図４に示すように、袋本体１０の左右両側辺側からドリップバッグ１を潰すように軽く押圧する。これにより、袋本体１０は広く開口し、また、係止片３２ａ、３２ｂは袋本体１０の表面から突出する。
【００２９】
そこで、図２に示すように、ドリップバッグの係止片３２ａ、３２ｂをカップ１００の上縁部に係止させ、袋本体１０の開口部から注湯し、カップ１００内にコーヒー抽出液を得る。
【００３０】
このドリップバッグ１の製造方法としては、図５に示すように、長尺の通水濾過性シートの原反４１にホルダー２０を所定間隔で並べて貼着したシート原反４０を用意し、これを包装充填機にかけ、図６に示すように、ホルダー２０の中央折線２２で左右二つ折りにし、袋本体１０の側辺１１ｃを溶着することにより筒状に形成すると共に、袋本体１０の上辺１１ａ、下辺１１ｂも順次溶着すると共に、袋本体１０内に内容物を充填し、個々のドリップバッグを連続的に製造し、それを切り離して個々のドリップバッグ１を得る。あるいは、袋本体１０の上辺１１ａ、下辺１１ｂの溶着時に溶断も同時に行い、個々に切り離されたドリップバッグ１を連続的に製造する。
【００３１】
本発明のドリップバッグは、種々の態様をとることができる。
【００３２】
例えば、図７、図８、図９に示すドリップバッグ１Ｂは、く字形折線２４を形成する第二の折線２５を、く字形折線の屈曲部２４ａから開封用ミシン目１２に対して垂直（即ち、中央折線２２と平行）にすると共に、第一の折線２３が中央折線２２となす角度θ１を９０°より大きくしたものである。
【００３３】
また、このドリップバッグ１Ｂは、中央折線２２と反対側のホルダー２０の側縁底部側に、掛止片３２ｂとして引き起こされない舌片状領域３４を有している。
【００３４】
このドリップバッグ１Ｂも、く字形折線２４を有することにより、開封用ミシン目１２で袋本体１０を開封した後は、片手で袋本体１０をその左右両側辺から把持し、ドリップバッグ１Ｂを押し潰すように軽く押圧するだけで、ドリップバッグ１Ｂを直ちに広く開口させることができ、ドリップバッグ１Ｂはその開口形状で安定する。特に、第一の折線２３が中央折線２２となす角度θ１を９０°より大きくしていることから、開口形状の安定性が向上する。したがって、図８に示すように、ドリップバッグ１Ｂをより簡便にカップ１００の上縁部に係止させることができる。
【００３５】
さらにこのドリップバッグ１Ｂは、中央折線２２と反対側のホルダーの側縁底部側に舌片状領域３４を有していることから、カップ１００に係止した場合には、図９に示すように、袋本体１０がホルダー２０の外周から外側にとびださないように舌片状領域３４で袋本体１０を押さえることができるので、カップ１００に掛けやすくなる。
【００３６】
また、本発明のドリップバッグとしては、図１０、図１１に示すドリップバッグ１Ｃのように、上述のドリップバッグ１Ｂから第一の折線２３を省略してもよい。このドリップバッグ１Ｃも、片手で容易に開口し、図１１に示すように、カップ１００の上縁部に係止させることができる。
【００３７】
さらに、図１２、図１３に示すドリップバッグ１Ｄのように、ホルダー２０の正面２０ａ及び背面２０ｂにおいて、中央折線２２と反対側領域においても、中央折線２２側端部と左右対称に、第二の折線２５ｂと第三の折線２６ｂからなるく字形折線２４ｂ、及び第一の折線２３ｂを設けてもよい。
【００３８】
係止片３２ａ、３２ｂについては、その引き起こし方向が、ホルダー２０の正面２０ａ及び背面２０ｂのそれぞれで左右対称になるように、切れ目３３ａ、３３ｂを形成してもよい。
【００３９】
袋本体１０の開封用ミシン目１２は、ホルダー２０に形成することなく、ホルダー２０が貼着されていない袋本体１０の上縁部に形成してもよい。
【００４０】
また、図１４、図１５に示すドリップバッグ１Ｅのように、く字形折線の屈曲部２４ａから、ホルダー２０の正面２０ａ、背面２０ｂの上縁中央部に向けて伸びた第五の折線２８を形成してもよい。これにより、袋本体１０の開口形状を円形に近づけることができる。
【００４１】
以上、袋本体にコーヒー粉を充填したドリップバッグについて、説明したが、本発明のドリップバッグに充填する抽出材料はコーヒー粉に限らず、紅茶、緑茶等の茶葉、漢方薬等を充填してもよい。
【産業上の利用可能性】
【００４２】
本発明のドリップバッグは、コーヒー粉を初めとする種々の抽出材料をドリップし、その抽出液を手軽に得る抽出具として有用である。
【図面の簡単な説明】
【００４３】
【図１】ドリップバッグの平面図である。
【図２】カップに係止した状態のドリップバッグの斜視図である。
【図３】ドリップバッグの使用方法の説明図である。
【図４】ドリップバッグの使用方法の説明図である。
【図５】ドリップバッグの製造に使用するホルダー付きシート原反の平面図である。
【図６】ホルダー付きシート原反を使用したドリップバッグの製造方法の説明図である。
【図７】ドリップバッグの平面図である。
【図８】カップに係止した状態のドリップバッグの中央折線側の斜視図である。
【図９】カップに係止した状態のドリップバッグの中央折線と反対側の斜視図である。
【図１０】ドリップバッグの平面図である。
【図１１】カップに係止した状態のドリップバッグの斜視図である。
【図１２】ドリップバッグの平面図である。
【図１３】カップに係止した状態のドリップバッグの斜視図である。
【図１４】ドリップバッグの平面図である。
【図１５】カップに係止した状態のドリップバッグの斜視図である。
【符号の説明】
【００４４】
１、１Ｂ、１Ｃ、１Ｄ、１Ｅ    ドリップバッグ
１０    袋本体
１１ａ  上辺
１１ｂ  下辺
１１ｃ  側辺
１１ｄ  側辺
１２    開封用ミシン目
１３    貼着部位
２０    ホルダー
２０ａ  ホルダーの正面
２０ｂ  ホルダーの背面
２２    中央折線
２３、２３ｂ      第一の折線
２４、２４ｂ      く字形折線
２４ａ  く字形折線の屈曲部
２５、２５ｂ      第二の折線
２６、２６ｂ      第三の折線
２７    第四の折線
２８    第五の折線
３１ａ、３１ｂ    係止用凹部
３２ａ、３２ｂ    係止片
３３ａ、３３ｂ    切れ目
３４    舌片状領域
４０    シート原反
４１    通水濾過性シートの原反
１００    カップ
【図１】
2010004897.tif 000003
【図２】
2010004897.tif 000004
【図３】
2010004897.tif 000005
【図４】
2010004897.tif 000006
【図５】
2010004897.tif 000007
【図６】
2010004897.tif 000008
【図７】
2010004897.tif 000009
【図８】
2010004897.tif 000010
【図９】
2010004897.tif 000011
【図１０】
2010004897.tif 000012
【図１１】
2010004897.tif 000013
【図１２】
2010004897.tif 000014
【図１３】
2010004897.tif 000015
【図１４】
2010004897.tif 000016
【図１５】
2010004897.tif 000017